(57)【要約】【課題】クラッチケーブルと動力伝達ユニットとの干渉を回避し、クラッチケーブルの屈曲度合いを小さくし、クラッチケーブルの良好な配設を実現する。【解決手段】クラッチの断接を制御するクラッチ駆動部材３２は、クランク軸１４およびカウンタ軸１５のそれぞれの軸線を含む仮想平面Ｐを挟んでドライブ軸１６と反対側に配置されている。エンジン９の後ろ側下部に位置するレリーズアーム４４の先端部に一端が接続されたクラッチケーブル３３は、自動二輪車１の側面視で、エンジン９の後ろ側下部から、エンジンケース１１の下部側方を通ってエンジンケース１１の前上方へ延びた後、クラッチレバー５に接続されている。【選択図】図２
2010000981.tif 000002
【特許請求の範囲】
【請求項１】
自動二輪車の幅方向に延びるクランク軸と、
前記クランク軸と平行に配置され、前記クランク軸により駆動されるカウンタ軸と、
前記カウンタ軸と平行に配置され、前記カウンタ軸により駆動されるドライブ軸と、
前記自動二輪車の幅方向一側に位置し、前記カウンタ軸の端部に装着されたクラッチと、
前記自動二輪車の幅方向他側に位置し、前記ドライブ軸の端部側方に配置され、前記ドライブ軸の端部に設けられた動力伝達部材に連結され、前記ドライブ軸から出力される動力を後輪に伝達する動力伝達ユニットと
を備えたエンジンを有する自動二輪車のクラッチ駆動装置であって、
前記カウンタ軸の内部に軸方向に移動可能に設けられたプッシュロッドと、
前記自動二輪車の幅方向他側に位置し、前記カウンタ軸の端部に設けられ、前記プッシュロッドを軸方向に移動させることにより前記クラッチの断接を制御するクラッチ駆動部材と、
ハンドルバーに装着されたクラッチレバーと前記クラッチ駆動部材との間に接続され、前記クラッチ駆動部材による前記クラッチの断接制御を、運転者による前記クラッチレバーの操作に連動させるクラッチケーブルと
を備え、
前記クラッチ駆動部材は、前記クランク軸および前記カウンタ軸のそれぞれの軸線を含む仮想平面を挟んで前記ドライブ軸と反対側に配置されていることを特徴とする自動二輪車のクラッチ駆動装置。
【請求項２】
前記クラッチ駆動部材は、
筒状のハウジングと、
前記ハウジングの内部に回転可能に支持されたレリーズ軸と、
前記レリーズ軸の一端に設けられ、前記レリーズ軸と共に回動することにより前記プッシュロッドを軸方向に移動させるレリーズカムと、
前記レリーズ軸の他端に設けられ、前記レリーズ軸と共に回動するレリーズアームと
を備え、
前記クラッチケーブルは、その一端が前記レリーズアームに接続され、当該クラッチケーブルの他端が車両側面視でエンジンケースの下部側方を通って前記エンジンケースの前上方へ延びた後、前記クラッチレバーに接続され、運転者による前記クラッチレバーの操作に応じて前記レリーズアームを回動させることを特徴とする請求項１に記載の自動二輪車のクラッチ駆動装置。
【請求項３】
前記クラッチ駆動部材は、車両前後方向に延びる車体中心線に対して前記クラッチレバーと同じ側に配置されていることを特徴とする請求項１または２に記載の自動二輪車のクラッチ駆動装置。
【請求項４】
前記クラッチ駆動部材の少なくとも一部は、前記自動二輪車の幅方向他側において、前記カウンタ軸の端部と前記動力伝達ユニットとの間に配置されていることを特徴とする請求項１ないし３のいずれかに記載の自動二輪車のクラッチ駆動装置。
【発明の詳細な説明】
【技術分野】
【０００１】
本発明は自動二輪車のクラッチ駆動装置に関し、より詳しくは、カウンタ軸の一側に設けられたクラッチの断接を、カウンタ軸の他側に設けられたクラッチ駆動部材で、カウンタ軸内に設けられたプッシュロッドを軸方向に移動させることにより制御するクラッチ駆動装置に関する。
【背景技術】
【０００２】
特許２９３８１１２号公報には、自動二輪車のクラッチ駆動装置が記載されている。すなわち、エンジンのカウンタ軸（メイン軸）の右側端部にはクラッチが装着されている。カウンタ軸は中空であり、カウンタ軸の内部には、カウンタ軸の軸方向に延びるプッシュロッドが軸方向に移動可能に設けられている。カウンタ軸の左側端部には、プッシュロッドを軸方向に移動させることにより、クラッチの断接を制御するクラッチ駆動部材が設けられている。クラッチ駆動部材は、クラッチケーブルを介して、ハンドルバーに装着されたクラッチレバーに接続されている。運転者がクラッチレバーを操作すると、クラッチケーブルが引かれ、これに連動してクラッチ駆動部材がプッシュロッドを軸方向に移動させ、クラッチの接続を断つ。
【特許文献１】特許２９３８１１２号公報
【発明の開示】
【発明が解決しようとする課題】
【０００３】
ところで、特許２９３８１１２号公報に記載されたような自動二輪車のエンジンにおいては、カウンタ軸と平行に延びるドライブ軸がカウンタ軸の近傍に配置されており、このドライブ軸の左側端部側方に、エンジンの駆動を後輪に伝達するための動力伝達ユニットが設けられている。この動力伝達ユニットは、シャフトドライブ式の場合にはベベルギアユニットであり、チェーンドライブ式の場合にはドライブチェーンユニットである。
【０００４】
ドライブ軸の左側端部側方に配置された動力伝達ユニットと、カウンタ軸の左側端部に設けられたクラッチ駆動部材とは互いに接近している。このため、クラッチ駆動部材に接続されたクラッチケーブルと動力伝達ユニットとが干渉するのを避けるように、クラッチケーブルの配設経路を設定する必要がある。
【０００５】
この点、特許２９３８１１２号公報に記載されたクラッチ駆動装置では、プッシュロッドを作動させるためのプッシュレバーが、ドライブチェーンユニットの駆動スプロケットの背面側に配置され、車両後方に向けて延設されている。このため、プッシュレバーの後端部に駆動アームを介して接続されたクラッチケーブルの配設経路は、駆動アームから、クランクケースの後ろ側を通って車両右側に延び、エンジンの上部右側方を経由し、車体フレームの前方に設けられたヘッドパイプの近傍で左側に曲がり、ハンドルの左側に設けられたクラッチレバーに到達する。
【０００６】
しかしながら、このような配設経路では、クラッチケーブルが車体中心線を跨いで左、右、左と取り回されるため、クラッチケーブルの屈曲度合いが大きくなるおそれがある。クラッチケーブルの屈曲度合いが大きくなると、クラッチケーブルの摺動抵抗が大きくなり、クラッチの操作感が鈍重となる。
【０００７】
特に、シャフトドライブ式の自動二輪車の場合には、動力伝達ユニットとして、チェーンドライブユニットに代えてベベルギアユニットがドライブ軸の左側端部側方に設けられる。この場合、ベベルギアユニットがプッシュレバーの上方に配置されるため、特許２９３８１１２号公報のように、クラッチケーブルをエンジンの上部に向けて配設しようとすると、クラッチケーブルを、プッシュレバーの後端部に設けられた駆動アームから、ベベルギアユニットを迂回するように左側に延出させ、その後、エンジンの右側に引き戻す必要がある。この結果、クラッチケーブルの屈曲度合いが一層大きくなり、クラッチケーブルの摺動抵抗が一層大きくなり、クラッチの操作感の鈍重さが増す。
【０００８】
本発明は例えば上述した問題に鑑みなされたものであり、本発明の第１の課題は、クラッチケーブルの良好な配設を実現することができる自動二輪車のクラッチ駆動装置を提供することにある。
【０００９】
本発明の第２の課題は、クラッチケーブルと動力伝達ユニットとの干渉を回避することができ、かつクラッチケーブルの屈曲度合いを小さくすることができる自動二輪車のクラッチ駆動装置を提供することにある。
【課題を解決するための手段】
【００１０】
上記課題を解決するために、本発明は、自動二輪車の幅方向に延びるクランク軸と、前記クランク軸と平行に配置され、前記クランク軸により駆動されるカウンタ軸と、前記カウンタ軸と平行に配置され、前記カウンタ軸により駆動されるドライブ軸と、前記自動二輪車の幅方向一側に位置し、前記カウンタ軸の端部に装着されたクラッチと、前記自動二輪車の幅方向他側に位置し、前記ドライブ軸の端部側方に配置され、前記ドライブ軸の端部に設けられた動力伝達部材に連結され、前記ドライブ軸から出力される動力を後輪に伝達する動力伝達ユニットとを備えたエンジンを有する自動二輪車のクラッチ駆動装置であって、前記カウンタ軸の内部に軸方向に移動可能に設けられたプッシュロッドと、前記自動二輪車の幅方向他側に位置し、前記カウンタ軸の端部に設けられ、前記プッシュロッドを軸方向に移動させることにより前記クラッチの断接を制御するクラッチ駆動部材と、ハンドルバーに装着されたクラッチレバーと前記クラッチ駆動部材との間に接続され、前記クラッチ駆動部材による前記クラッチの断接制御を、運転者による前記クラッチレバーの操作に連動させるクラッチケーブルとを備え、前記クラッチ駆動部材は、前記クランク軸および前記カウンタ軸のそれぞれの軸線を含む仮想平面を挟んで前記ドライブ軸と反対側に配置されている。
【００１１】
上述した本発明のクラッチ駆動装置において、前記クラッチ駆動部材は、筒状のハウジングと、前記ハウジングの内部に回転可能に支持されたレリーズ軸と、前記レリーズ軸の一端に設けられ、前記レリーズ軸と共に回動することにより前記プッシュロッドを軸方向に移動させるレリーズカムと、前記レリーズ軸の他端に設けられ、前記レリーズ軸と共に回動するレリーズアームとを備え、前記クラッチケーブルは、その一端が前記レリーズアームに接続され、当該クラッチケーブルの他端が車両側面視でエンジンケースの下部側方を通って前記エンジンケースの前上方へ延びた後、前記クラッチレバーに接続され、運転者による前記クラッチレバーの操作に応じて前記レリーズアームを回動させることが望ましい。
【００１２】
上述した本発明のクラッチ駆動装置において、前記クラッチ駆動部材は、車両前後方向に延びる車体中心線に対して前記クラッチレバーと同じ側に配置することが望ましい。
【００１３】
上述した本発明のクラッチ駆動装置において、前記クラッチ駆動部材の少なくとも一部は、前記自動二輪車の幅方向他側において、前記カウンタ軸の端部と前記動力伝達ユニットとの間に配置することが望ましい。
【発明の効果】
【００１４】
上述した本発明によれば、クラッチケーブルと動力伝達ユニットとの干渉を回避することができ、クラッチケーブルの屈曲度合いを小さくすることができ、クラッチケーブルの良好な配設を実現することができる。
【発明を実施するための最良の形態】
【００１５】
本発明の実施形態について、図面を参照しながら説明する。図１は、本発明の実施形態であるクラッチ駆動装置が搭載された自動二輪車を示す。図１に示すように、自動二輪車１は、例えば、いわゆるクルーザ型またはアメリカン型の自動二輪車である。自動二輪車１において、自動二輪車１の骨組みをなす車体フレームの前側に配設されたヘッドパイプには、左右２本のフロントフォーク２（左側のみ図示）が支持されている。フロントフォーク２の上端にはハンドルバー３が固定されており、ハンドルバー３の左右両端には、ハンドルグリップ４（左側のみ図示）が設けられている。また、ハンドルバー３において、左側のハンドルグリップ４近傍には、運転者がクラッチ１９（図３参照）の断接を操作するためのクラッチレバー５が装着されている。一方、フロントフォーク２の下部には前輪６が回転可能に支持されている。また、車体フレーム後ろ側にはスイングアーム７を介して後輪８が回転可能に支持されている。
【００１６】
また、車体フレームには、Ｖ型のエンジン９がエンジンブラケットなどを介して固定されている。本実施形態において、自動二輪車１は、エンジン９の動力を後輪８に伝達するための動力伝達方式としてシャフトドライブ式を採用している。エンジン９と後輪８との間には、動力伝達ユニットとしてのベベルギアユニット２３、出力軸２５などを備えたシャフトドライブ機構２２（図３参照）が設けられている。
【００１７】
図２は、図１中のエンジン９を自動二輪車１から取り出して拡大して示している。図３は、図２中の矢示III−III方向から見たエンジン９の断面を示している。図４は、図２中の矢示IV−IV方向から見たエンジン９の断面を示している。図５は、図２中の矢示V−V方向から見たレリーズアームとクラッチケーブルとの接続部分を拡大して示している。図６は図１中の自動二輪車１を模式的に示す平面図である。
【００１８】
図２中のエンジン９において、エンジンケース１１上には前側シリンダ１２および後ろ側シリンダ１３が設けられている。エンジンケース１１内には、自動二輪車１の幅方向に延びるクランク軸１４が設けられている。各シリンダ１２、１３の燃焼室内に設けられたピストンは、コンロッドを介してクランク軸１４に接続されている。また、エンジン９には、カウンタ軸１５がクランク軸１４と平行に自動二輪車１の幅方向に延設されている。さらに、エンジン９には、ドライブ軸１６がカウンタ軸１５と平行に自動二輪車１の幅方向に延設されている。
【００１９】
図３に示すように、カウンタ軸１５は、クランク軸１４とドライブギア１７、１８を介して連結されており、クランク軸１４により回転駆動される。カウンタ軸１５の右側端部にはクラッチ１９が装着されている。
【００２０】
ドライブ軸１６は、カウンタ軸１５とトランスミッションギアユニット２０を介して接続されており、カウンタ軸１５により回転駆動される。ドライブ軸１６の左側端部には、動力伝達部材としてベベルギア２１が設けられており、ベベルギア２１は、ドライブ軸１６の左側端部側方に設けられた、シャフトドライブ機構２２の一部を構成するベベルギアユニット２３のベベルギア２４と連結されている。これにより、ドライブ軸１６の回転動力は、シャフトドライブ機構２２の出力軸２５などを介して後輪８に伝達される。
【００２１】
また、エンジンケース１１内において、クランク軸１４の左方には、発電機２６が設けられている。
【００２２】
また、図４に示すように、エンジン９は、運転者によるクラッチレバー５の操作に応じてクラッチ１９の断接を制御するクラッチ駆動装置３０を備えている。クラッチ駆動装置３０は、プッシュロッド３１、クラッチ駆動部材３２および図２に示すクラッチケーブル３３を備えている。
【００２３】
カウンタ軸１５は中空の筒状に形成されており、プッシュロッド３１は、カウンタ軸１５の内部に軸方向（自動二輪車１の幅方向）に移動可能に支持されている。
【００２４】
クラッチ駆動部材３２は、カウンタ軸１５の左側端部に設けられ、プッシュロッド３１を軸方向に移動させることにより、クラッチ１９の断接を制御する。クラッチ駆動部材３２は、円筒状のハウジング４１と、ハウジング４１の内部に回転可能に支持されたレリーズ軸４２と、レリーズ軸４２の一端に設けられ、レリーズ軸４２と共に回動することによりプッシュロッド３１を軸方向に移動させるレリーズカム４３と、レリーズ軸４２の他端に設けられ、レリーズ軸４２と共に回動するレリーズアーム４４とを備えている。
【００２５】
クラッチケーブル３３は、ハンドルバー３に装着されたクラッチレバー５とクラッチ駆動部材３２との間に接続され、クラッチ駆動部材３２によるクラッチ１９の断接制御を、運転者によるクラッチレバー５の操作に連動させる。クラッチケーブル３３の一端は、図５に示すようにレリーズアーム４４の先端部に接続され、クラッチケーブル３３の他端はクラッチレバー５に接続されている。運転者がクラッチレバー５を操作すると、これに応じて、クラッチケーブル３３が引かれ、レリーズアーム４４、レリーズ軸４２およびレリーズカム４３が一体的に回動する。レリーズカム４３の回動により、プッシュロッド３１が軸方向に移動し、これによりクラッチ１９における接続が断たれる。
【００２６】
図２に示すように、クラッチ駆動部材３２は、クランク軸１４およびカウンタ軸１５のそれぞれの軸線を含む仮想平面Ｐを挟んでドライブ軸１６と反対側に配置されている。また、図６に示すように、クラッチ駆動部材３２は、自動二輪車１の前後方向に延びる車体中心線Ｌに対してクラッチレバー５と同じ側に配置されている。
【００２７】
具体的には、図２に示すように、円筒状のハウジング４１の一端は、自動二輪車１の側面視で、カウンタ軸１５の左側端部と重なり合う位置に配置され、ハウジング４１の他端は、自動二輪車１の側面視で、カウンタ軸１５の左側端部からエンジン９の後ろ側下部に達している。ハウジング４１内に支持されたレリーズ軸４２も、ハウジング４１とほぼ同じ位置に配置されている。そして、レリーズ軸４２の他端に設けられたレリーズアーム４４は、エンジン９の後ろ側下部に配置されている。
【００２８】
また、図４に示すように、クラッチ駆動部材３２において、ハウジング４１、レリーズ軸４２、レリーズカム４３およびレリーズアーム４４の基端部は、カウンタ軸１５の左側端部とベベルギアユニット２３との間に配置されている。そして、レリーズアーム４４の先端部が、エンジン９の後ろ側下部において左方向に突出し、ベベルギアユニット２３の下方に位置している。
【００２９】
レリーズアーム４４の先端部が、エンジン９の後ろ側下部に位置するため、レリーズアーム４４の先端部に一端が接続されたクラッチケーブル３３は、自動二輪車１の側面視で、エンジン９の後ろ側下部から、エンジンケース１１の下部側方（より具体的には発電機２６の下方）を通ってエンジンケース１１の前上方へ延びた後、ヘッドパイプの近傍を通過してハンドルバー３に沿って左側に延び、クラッチレバー５に接続されている。
【００３０】
以上説明した通り、本発明の実施形態であるクラッチ駆動装置３０によれば、クラッチ駆動部材３２を、クランク軸１４およびカウンタ軸１５のそれぞれの軸線を含む仮想平面Ｐを挟んでドライブ軸１６と反対側に配置することにより、クラッチ駆動部材３２が、ドライブ軸１６の左側端部に設けられたベベルギア２１またはシャフトドライブ機構２２のベベルギアユニット２３と干渉することを防止することができる。
【００３１】
また、クラッチ駆動部材３２とクラッチケーブル３３との接続点（レリーズアーム４４の先端部）を、エンジン９の後ろ側下部に配置し、クラッチケーブル３３を、自動二輪車１の側面視で、エンジン９の後ろ側下部から、エンジンケース１１の下部側方を通ってエンジンケース１１の前上方へ延びるように配置することにより、クラッチケーブル３３と、ベベルギアユニット２３などのエンジン部品との干渉を回避することができる。
【００３２】
特に、クラッチケーブル３３がベベルギアユニット２３の下方を通過するので、自動二輪車１の側面視で、カウンタ軸１５の左側端部と重なる位置に配置されているベベルギアユニット２３を迂回するために、クラッチケーブル３３をベベルギアユニット２３の左方（車幅方向外側）を通過させる必要がない。これにより、クラッチケーブル３３の良好な配設を実現することができ、クラッチケーブル３３が車幅方向外側に張り出して、クラッチケーブル３３に乗員の脚部が引っかかるなどの不都合を防止することができる。
【００３３】
また、クラッチケーブル３３を、エンジン９の後ろ側下部からエンジンケース１１の前上方に向けて大きく緩やかな曲線を描くように配設することができるので、クラッチケーブル３３の屈曲度合いを小さくすることができ、クラッチケーブル３３の摺動抵抗を小さくすることができ、クラッチの操作感を軽快なものにすることができる。
【００３４】
また、クラッチ駆動部材３２を、自動二輪車１の前後方向に延びる車体中心線Ｌに対してクラッチレバー５と同じ側に配置することにより、クラッチケーブル３３を自動二輪車１の左側から右側に取り回す必要がない。したがって、クラッチケーブル３３が狭小空間内を通過することにより損傷することを防止することができる。
【００３５】
また、クラッチ駆動部材３２において、ハウジング４１、レリーズ軸４２、レリーズカム４３およびレリーズアーム４４の基端部を、カウンタ軸１５の他側端部とベベルギアユニット２３との間に配置し、レリーズアーム４４の先端部をベベルギアユニット２３の下方に配置することにより、クラッチ駆動部材３２（レリーズアーム４４の先端部も含む）がエンジン９の左方に張り出すことを防止することができる。これにより、クラッチケーブル３３に乗員の脚部が引っかかるなどの不都合を防止することができる。
【００３６】
なお、上述した実施形態では、エンジン９の動力を後輪８に伝達するための動力伝達方式としてシャフトドライブ式を採用し、動力伝達ユニットとして、シャフトドライブ機構２２を備えた自動二輪車を例にあげたが、本発明はこれに限らない。本発明は、動力伝達方式としてチェーンドライブ式を採用し、動力伝達ユニットとして、チェーンドライブ機構を備えた自動二輪車にも適用することができる。
【００３７】
また、本発明は、Ｖ型のエンジンに限らず、他の型式のエンジンにも適用することができる。また、本発明は、クルーザ型またはアメリカン型の自動二輪車に限らず、他の型式の自動二輪車にも適用することができる。
【００３８】
また、本発明は、請求の範囲および明細書全体から読み取るこのできる発明の要旨または思想に反しない範囲で適宜変更可能であり、そのような変更を伴うクラッチ駆動装置もまた本発明の技術思想に含まれる。
【図面の簡単な説明】
【００３９】
【図１】本発明の実施形態に係るクラッチ駆動装置が搭載された自動二輪車を示す側面図である。
【図２】図１中のエンジンを自動二輪車から取り出して拡大して示す側面図である。
【図３】図２中の矢示III−III方向から見たエンジンの断面図である。
【図４】図２中の矢示IV−IV方向から見たエンジンの断面図である。
【図５】図２中の矢示V−V方向から見たレリーズアームとクラッチケーブルとの接続部分を示す拡大図である。
【図６】図１中の自動二輪車を模式的に示す平面図である。
【符号の説明】
【００４０】
１  自動二輪車
３  ハンドルバー
５  クラッチレバー
９  エンジン
１１  エンジンケース
１４  クランク軸
１５  カウンタ軸
１６  ドライブ軸
１９  クラッチ
２１  ベベルギア（動力伝達部材）
２３  ベベルギアユニット（動力伝達ユニット）
３０  クラッチ駆動装置
３１  プッシュロッド
３２  クラッチ駆動部材
３３  クラッチケーブル
４１  ハウジング
４２  レリーズ軸
４３  レリーズカム
４４  レリーズアーム
【図１】
2010000981.tif 000003
【図２】
2010000981.tif 000004
【図３】
2010000981.tif 000005
【図４】
2010000981.tif 000006
【図５】
2010000981.tif 000007
【図６】
2010000981.tif 000008